(57)【要約】【課題】測定を行う場合に、唾液などの分泌物によって測定が妨げられることを防止するバイトブロックを提供する。【解決手段】内視鏡の導管が挿入される穴１２を有する筒状の第１壁１３と、この第１壁１３を囲繞し、口腔内に直接に対向する第２壁１４と、口腔内のガスを取り込むためのサンプルポート２０と、前記第１壁１３と前記第２壁１４との間の空隙により構成され、前記サンプルポート２０に通じるガス流路１６とを具備した。【選択図】図３
2010136869.tif 000002
【特許請求の範囲】
【請求項１】
内視鏡や硬性鏡などの導管が挿入される穴を有する筒状の第１壁と、
この第１壁を囲繞し、口腔内に直接に対向する第２壁と、
口腔内のガスを取り込むためのサンプルポートと、
前記第１壁と前記第２壁との間の空隙により構成され、前記サンプルポートに通じるガス流路と
を具備したことを特徴とするバイトブロック。
【請求項２】
呼吸情報収集アダプタを取り付けるための取付部を有することを特徴とする請求項１に記載のバイトブロック。
【請求項３】
ガス流路は、前記サンプルポートから前記第１壁と前記第２壁との周縁に向かうスロープを備えていることを特徴とする請求項１または２に記載のバイトブロック。
【請求項４】
前記サンプルポートには、呼吸情報収集用アダプタと結合するための結合手段であって、呼吸情報収集用アダプタの姿勢と前記サンプルポートから呼吸情報収集用アダプタまでの距離とを、調整するための調整機構を備えていることを特徴とする請求項１乃至請求項３のいずれかに記載のバイトブロック。
【請求項５】
サンプルポートには、内部を前記ガス流路へ続く第１の室と外部へ通じる穴が形成された第２の室とに仕切る仕切板が備えられたことを特徴とする請求項１乃至請求項４のいずれかに記載のバイトブロック。
【請求項６】
請求項２乃至５のいずれか１項に記載のバイトブロックであって、
前記バイトブロックの前記取付部に取り付けられ、呼吸情報を収集する呼吸情報収集手段を備える呼吸情報収集アダプタと
を具備することを特徴とするバイトブロック。
【請求項７】
呼吸情報収集アダプタは、バイトブロックを被検者が装着した状態において、酸素を供給するプロングの先端を被検者の鼻腔近傍又は口腔近傍に位置付けた状態として前記プロングを保持する保持手段を具備していることを特徴とする請求項６に記載のバイトブロック。
【発明の詳細な説明】
【技術分野】
【０００１】
この発明は、内視鏡や硬性鏡などによる検査に用いられるバイトブロックに関するものである。
【背景技術】
【０００２】
内視鏡などによる検査に用いる従来のバイトブロックにおいては、導管が挿入される空間にガスサンプリング用穴が形成されており、その穴にプロングを結合することにより口からの呼吸を測定するものが知られている（特許文献１参照）。また、上記と同様な構成により口腔へ酸素供給を行うものも知られている（特許文献２参照）。
【０００３】
しかしながら、いずれの構成においても、検査中に唾液などの分泌物によって穴が閉塞してしまう構成であり、適切にガス測定を行うことができず、また、酸素供給が妨げられる可能性が高いという問題があった。また、サンプリングにおける応答遅れや、大気中のガスを吸引してしまう状態が生じ、測定値が不正確となる問題もあった。
【特許文献１】特表２００７−５０００５６６号公報
【特許文献２】国際公開第２００５／０１６１４２号パンフレット
【発明の開示】
【発明が解決しようとする課題】
【０００４】
本発明は上記のような内視鏡などによる検査に用いる従来のバイトブロックにおける問題を解決せんとしてなされたもので、その目的は、呼吸に係るガス等の測定を行うための呼吸情報収集用アダプタを取り付けて測定を行う場合に、唾液などの分泌物によって測定が妨げられることを防止し、また、測定値が不正確となる問題を解決することのできるバイトブロックを提供することである。
【課題を解決するための手段】
【０００５】
本発明に係るバイトブロックは、内視鏡や硬性鏡などの導管が挿入される穴を有する筒状の第１壁と、この第１壁を囲繞し、口腔内に直接に対向する第２壁と、口腔内のガスを取り込むためのサンプルポートと、前記第１壁と前記第２壁との間の空隙より構成され、前記サンプルポートに通じるガス流路とを具備したことを特徴とする。
【０００６】
本発明に係るバイトブロックでは、呼吸情報収集アダプタを取り付けるための取付部を有することを特徴とする。
【０００７】
本発明に係るバイトブロックでは、ガス流路は、前記サンプルポートから前記第１壁と前記第２壁との周縁に向かうスロープを備えていることを特徴とことを特徴とする。
【０００８】
本発明に係るバイトブロックでは、前記サンプルポートには、呼吸情報収集用アダプタと結合するための結合手段であって、呼吸情報収集用アダプタの姿勢と前記サンプルポートから呼吸情報収集用アダプタまでの距離とを、調整するための調整機構を備えていることを特徴とする。
【０００９】
本発明に係るバイトブロックでは、サンプルポートには、内部を前記ガス流路へ続く第１の室と外部へ通じる穴が形成された第２の室とに仕切る仕切板が備えられたことを特徴とする。
【００１０】
本発明に係るバイトブロックは、請求項２乃至５のいずれか１項に記載のバイトブロックであって、前記バイトブロックの前記取付部に取り付けられ、呼吸情報を収集する呼吸情報収集手段を備える呼吸情報収集アダプタとを具備することを特徴とする。
【００１１】
本発明に係るバイトブロックは、呼吸情報収集アダプタは、バイトブロックを被検者が装着した状態において、酸素を供給するプロングの先端を被検者の鼻腔近傍又は口腔近傍に位置付けた状態として前記プロングを保持する保持手段を具備していることを特徴とする。
【発明の効果】
【００１２】
本発明に係るバイトブロックによれば、内視鏡や硬性鏡などの導管が挿入される穴を有する筒状の第１壁と、この第１壁を囲繞し、口腔内に直接に対向する第２壁とにより空隙により構成され、上記サンプルポートに通じるガス流路を具備しているので、二重円筒による空隙部がガスの流路となり、従来の穴に比べてこの流路を広くでき、唾液などの分泌物によって閉塞し難く、測定が妨げられることを防止でき、また、正確な測定値を得ることが可能となる。
【００１３】
本発明に係るバイトブロックによれば、ガス流路が、サンプルポートから第１壁と第２壁との周縁に向かうスロープを備えているので、このスロープが唾液などの分泌物がサンプルポート側へ流れ難くするように働き、測定が妨げられることを防止でき、また、正確な測定値を得ることが可能となる。更に、サンプルポートには、呼吸情報収集用アダプタと結合するための結合手段であって、呼吸情報収集用アダプタの姿勢とサンプルポートから呼吸情報収集用アダプタまでの距離とを、調整するための調整機構を備えているので、呼吸情報収集用アダプタの姿勢が調整可能であり、また、サンプルポートから呼吸情報収集用アダプタまでの距離を調整可能である。
【００１４】
本発明に係るバイトブロックによれば、サンプルポートに、内部を前記ガス流路へ続く第１の室と外部へ通じる穴が形成された第２の室とに仕切る仕切板が備えられたことにより、前記取付部に取り付けられた呼吸情報収集アダプタを介して到来する鼻呼吸による呼気は前記第１の室へ到り、該第１の室を介して前記穴から排出することが可能となる。
【発明を実施するための最良の形態】
【００１５】
以下添付図面を参照して、本発明に係るバイトブロックの実施例を説明する。各図において、同一の構成要素には同一の符号を付して重複する説明を省略する。図１に、実施例に係るバイトブロックの斜視図を示し、図２に断面図を示す。このバイトブロック１０は、被検者の開いた唇部分に当接するように湾曲し、例えば楕円またはボート形の前後部をカットした形状のプレート部１１を備える。プレート部１１の中央部には、内視鏡の導管が挿入される穴１２が形成されている。
【００１６】
上記穴１２を囲繞する位置からプレート部１１の裏面側（使用状態では、口腔内側）には、所要長の筒状の第１壁１３が立設されている。プレート部１１の同じく裏面には、上記第１壁を囲繞し、口腔内に直接に対向する第２壁１４が設けられている。即ち、第２壁１４の外側周縁は、唇や歯と接触する部分である。
【００１７】
プレート部１１の表面における最上部位置には、呼吸情報収集用アダプタを取り付けると共に、口腔内のガスを取り込むためのサンプルポート２０が設けられている。サンプルポート２０は、枡状の容器の形状を有し、一つの側壁がプレート部１１となっている。第１壁１３と第２壁１４との間には空隙が存在し、この空隙は上記サンプルポート２０に通じるガス流路１６を構成している。プレート部１１である一つの側壁には、サンプルポート２０における底面付近に連絡口２１を備えられ、この連絡口２１によりサンプルポート２０と上記ガス流路１６が連通している。サンプルポート２０の内側は第１壁１３に繋がる仕切板１５により仕切られており、連絡口２１が設けられていない側の底部には穴２３が形成されている。
【００１８】
サンプルポート２０の両側面のほぼ上端位置には、ボス２２が設けられている。このボスは、後に説明する呼吸情報収集用アダプタの切込付孔と共働して、呼吸情報収集用アダプタと結合するための結合手段であって、呼吸情報収集用アダプタの姿勢と上記サンプルポート２０から呼吸情報収集用アダプタまでの距離とを、調整するための調整機構を構成する。
【００１９】
ガス流路１６は、上記サンプルポート２０から第１壁１３と第２壁１４との周縁に向かうスロープ１７を備えている。このスロープ１７は、サンプルポート２０における連絡口２１を始点とし、第１壁１３と第２壁１４と間隙を徐々に第１壁１３と第２壁１４の開放端へと向かい、最終的に上記始点から見て、第１壁１３と第２壁１４による二重筒の開放端における最遠点へつながるものであり、上記始点から見ると左右対称に構成されている。スロープ１７における内側は、バイトブロック１０と同じ組成の樹脂１８が埋設されている。このようにスロープ１７が構成されているため、バイトブロック１０を口腔に装着した状態では、サンプルポート２０における連絡口２１が最上部となり、第１壁１３と第２壁１４による二重筒の開放端における最遠点が最下部となることが期待され、上記連絡口２１が唾液などの分泌物によって閉塞し難く、測定が妨げられることを防止できるように働くものである。
【００２０】
上記のバイトブロック１０に呼吸情報収集用アダプタ３０を備えた実施例における斜視図を、図３に示す。本実施例の使用状態に係る呼吸情報収集装置を示す斜視図を図４に示し、図５に側面図を示し、図６に断面図を示す。この呼吸情報収集用アダプタ３０は、ほぼ立方体状のエアウェイケース３１にネーザルチューブ３２と、発光素子３３ａと受光素子３３ｂとからなる二酸化炭素センサ３３とを備えるものである。二酸化炭素センサ３３は、呼吸情報収集手段の一例である。
【００２１】
エアウェイケース３１は、鼻孔からの呼気はエアウェイケース３１の室３８に導入される。ネーザルチューブ３２は、二本であり、両鼻孔に挿入される。この二本のネーザルチューブ３２は、基部３７においてエアウェイケース３１と一体化されている。
【００２２】
エアウェイケース３１の一方の側部には発光素子３３ａが結合され、他方の側部には受光素子３３ｂが結合されている。発光素子３３ａの光射出面及び受光素子３３ｂの受光面である測定窓３９は、エアウェイケース３１の室３８を挟んで対向配置されている。発光素子３３ａと受光素子３３ｂには、リード線４３ａ、４３ｂが接続され、測定装置まで延びている。
【００２３】
エアウェイケース３１の下部側において両サイドには、切込付孔３４が備えられており、バイトブロック１０に設けられたボス２２が嵌合し、図４の矢印Ｘのように、呼吸情報収集用アダプタ３０がボス２２を軸として回転可能であり、呼吸情報収集用アダプタ３０の姿勢を調整可能に構成されている。エアウェイケース３１の室３８の下部は開口して囲繞壁３６により囲繞されており、また、切込付孔３４にボス２２が嵌合されると、サンプルポート２０に上記室３８の囲繞壁３６が覆い被さった状態を呈する。
【００２４】
エアウェイケース３１の使用状態における前面の上部位置には、側部にやや大きな溝を有する筒のような形状を有する把持部３５が備えられ、把持部３５は弾性力により酸素供給用のプロング４１を把持している（図３)。プロング４１には、酸素供給チューブ４２が接続され酸素供給源より酸素供給がなされる。プロング４１は、エアウェイケース３１の使用状態における上面部を介して被検者の鼻孔直下付近まで延びており、プロング４１の先端から射出させる酸素は被検者が鼻呼吸により吸引可能である。勿論、把持部３５の位置やプロング４１の先端の向きなどは、一例に過ぎない。このように、呼吸情報収集アダプタ３０は、バイトブロック１０を被検者が装着した状態において、酸素を供給するプロング４１の先端を被検者の鼻腔近傍や口腔近傍に位置付けた状態として上記プロング４１を保持する保持手段としての把持部３５を具備している。
【００２５】
以上の通りに構成された本実施例においては、プレート部１１の両サイドに穿設された穴１９に取り付けられる図示しないバンドが図６における顔から後頭部を一周してバイトブロックを支えるようにした後、次のようにして測定がなされる。プレート部１１の穴１２を介して内視鏡の導管５０が挿入される。被検者の口呼吸による呼気の一部は、バイトブロック１０の第１壁１３と第２壁１４との間に形成されたガス流路１６と連絡口２１を介してサンプルポート２０に到る。サンプルポート２０の上部には、エアウェイケース３１の室３８の下部に形成された開口が臨んだ状態となっており、上記呼気はエアウェイケース３１の室３８へ到り、二酸化炭素センサ３３による測定対象となる。
【００２６】
一方、鼻呼吸による呼気は、ネーザルチューブ３２を介してエアウェイケース３１の室３８へ到り、二酸化炭素センサ３３による測定対象となり、室３８の下部の囲繞壁３６部からサンプルポート２０へ到り、仕切板１５より前方の室を介して穴２３から排出される。酸素供給は酸素供給源より酸素供給チューブ４２を介して、プロング４１によってなされる。
【００２７】
図７には、変形例に係る呼吸情報収集用アダプタ３０Ａを用いて構成したバイトブロックの実施例における側面図を示す。この呼吸情報収集用アダプタ３０Ａは、エアウェイケース３１の下部側において両サイドに、切込付長孔３４ａを備えている。切込付長孔３４ａは、ボス２２を挟み込んだ状態において、長孔の任意の位置で呼吸情報収集用アダプタ３０Ａを支持する。このため、呼吸情報収集用アダプタ３０Ａは図のＹにより示される矢印のように、図の上下方向に移動可能である。このように、本実施例は、サンプルポート２０から呼吸情報収集用アダプタ３０Ａまでの距離を調整するための調整機構を備えている。勿論、図４に示すような矢印Ｘ方向への回転が可能とする姿勢の調整機構を兼用していることは言うまでもない。
【図面の簡単な説明】
【００２８】
【図１】本発明の実施例に係るバイトブロックの斜視図。
【図２】図１のＡ−Ａ断面図。
【図３】本発明の実施例に係る呼吸情報収集用アダプタを備えたバイトブロックの斜視図。
【図４】本発明の実施例に係る呼吸情報収集用アダプタを備えたバイトブロックの側面図。
【図５】図３のＢ−Ｂ断面図。
【図６】本発明の実施例に係る使用状態を示す斜視図。
【図７】本発明の実施例の変形例に係るバイトブロックの側面図
【符号の説明】
【００２９】
１０  バイトブロック
１１  プレート部
１２  穴
１３  第１壁
１４  第２壁
１５  仕切板
１６  ガス流路
１７  スロープ
２０  サンプルポート
３０、３０Ａ  呼吸情報収集用アダプタ
３１  エアウェイケース
３２  ネーザルチューブ
３３  二酸化炭素センサ
３３ａ  発光素子
３３ｂ  受光素子
３４  切込付孔
３４ａ  切込付長孔
４１  プロング
５０  導管
【図１】
2010136869.tif 000003
【図２】
2010136869.tif 000004
【図３】
2010136869.tif 000005
【図４】
2010136869.tif 000006
【図５】
2010136869.tif 000007
【図６】
2010136869.tif 000008
【図７】
2010136869.tif 000009